(57)【要約】  第１周波数で揺動されると共に記録情報を記録可能であるグルーブトラックが、予め夫々形成された複数の記録層を備え、グルーブトラックは、同期情報及びアドレス情報（ＬＰ）を検出可能な第１領域（１１１）と、記録層を判別するための層判別情報を検出可能な第２領域（１１２）とを備えている。【特許請求の範囲】
【請求項１】
第１周波数で揺動されると共に記録情報を記録可能であるグルーブトラックが、予め夫々形成された複数の記録層を備え、
前記グルーブトラックは、同期情報及びアドレス情報を検出可能な第１領域と、前記記録層を判別するための層判別情報を検出可能な第２領域とを備えていることを特徴とする情報記録媒体。
【請求項２】
前記グルーブトラックは、前記第２領域において、前記第１周波数とは異なる第２周波数で揺動される第１ウォブルを含むことを特徴とする請求の範囲第１項に記載の情報記録媒体。
【請求項３】
前記グルーブトラックは、前記第２領域において、前記第１領域に形成されたランドプリピットと当該情報記録媒体の半径方向に同一の第１ランドプリピットを含むことを特徴とする請求の範囲第１項に記載の情報記録媒体。
【請求項４】
前記グルーブトラックは、前記第２領域において、前記第１領域に形成されたランドプリピットに対して当該情報記録媒体の半径方向に反対となる第２ランドプリピットを含むことを特徴とする請求の範囲第１項に記載の情報記録媒体。
【請求項５】
前記グルーブトラックは、前記第２領域において、他の情報による信号が重畳された第２ウォブルを含むことを特徴とする請求の範囲第１項に記載の情報記録媒体。
【請求項６】
前記グルーブトラックは、前記第２領域において、他のウォブルとは位相の異なる第３ウォブルを含むことを特徴とする請求の範囲第１項に記載の情報記録媒体。
【請求項７】
前記グルーブトラックは、前記第２領域において、他のウォブルとは振幅の異なる第４ウォブルを含むことを特徴とする請求の範囲第１項に記載の情報記録媒体。
【請求項８】
前記層判別情報は、前記第２領域に記録されている他に、前記第１領域において、前記同期情報及び前記アドレス情報に加えて記録されていることを特徴とする請求の範囲第１項に記載の情報記録媒体。
【請求項９】
請求の範囲第１項に記載の情報記録媒体を再生する情報再生装置であって、
前記グルーブトラックにレーザ光を照射し、その反射光を受光する光ピックアップ手段と、
前記光ピックアップ手段の出力に基づいて、前記情報記録媒体に記録された前記同期情報及び前記アドレス情報を検出するアドレス検出手段と、
前記光ピックアップ手段の出力に基づいて、前記情報記録媒体に記録された前記層判別情報を検出する記録層検出手段と
を備えたことを特徴とする情報再生装置。
【請求項１０】
請求の範囲第１項に記載の情報記録媒体を再生する情報再生方法であって、
前記グルーブトラックにレーザ光を照射し、その反射光を受光する読取工程と、
前記読取工程の出力に基づいて、前記情報記録媒体に記録された前記同期情報及び前記アドレス情報を検出するアドレス検出工程と、
前記読取工程の出力に基づいて、前記情報記録媒体に記録された前記層判別情報を検出する記録層検出工程と
を備えることを特徴とする情報再生方法。
【発明の詳細な説明】
【技術分野】
【０００１】
本発明は、例えばＤＶＤ等の情報記録媒体、並びに、該情報記録媒体に記録された記録データを再生する情報再生装置及び方法の技術分野に関する。
【背景技術】
【０００２】
例えば、ＣＤ、ＤＶＤ等の情報記録媒体では、同一基板上に複数の記録層が積層されてなるデュアルレイヤ又はマルチプルレイヤ（多層）型の光ディスク等も開発されている。そして、このような２層型の光ディスクを記録する、ＣＤレコーダ等の情報記録装置では、レーザ光の照射側から見て最も手前側に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
このような多層型光ディスクにおいて記録された記録データを再生する際には、各記録層を短時間に判別する技術が要望されている。例えば、特許文献１では、各記録層に応じてランドプリピットをウォブルの異なる位相に配置し、ウォブルからの信号とランドプリピットからの信号との位相差を検出して各記録層を判別する技術が開示されている。【０００４】
また、特許文献２では、各記録層に応じてランドプリピットをウォブルが形成されたグルーブトラックを基準として、光ディスクの内周又は外周側に配置させ、ランドプリピットからの信号が光ディスクの内周又は外周側におけるウォブルからの信号のピーク位置に発生するかを検出して各記録層を判別する技術が開示されている。【０００５】
【特許文献１】特開２００２−３１９１４４号公報
【特許文献２】特開２００２−３２９３２８号公報
【特許文献３】特開平９−３２６１３８号公報
【発明の開示】
【発明が解決しようとする課題】
【０００６】
しかしながら、特許文献１は、ランドプリピットからの信号に隣に配置されたグルーブトラックに対するランドプリピットからの信号もが含まれてしまうため、位相差を検出するのが困難であるという技術的な問題点がある。また、特許文献２は、内周及び外周側ランドプリピット検出回路を設けると共に、各記録層の検出結果に応じて、ランドプリピットデコーダへ入力信号を切り替える必要性が生じてしまうという技術的な問題点がある。【０００７】
加えて、特許文献１及び２では、いずれにしても、ランドプリピットからの信号をデコード（復号化）する必要があるので、仮に高速な信号処理を実現しようとすれば、信号処理回路の処理負担の増加や、追加される信号処理回路のコストの増加をもたらしてしまうという技術的な問題点もある。【０００８】
そこで本発明は、例えば上記問題点に鑑みなされたものであり、例えば、多層型の情報記録媒体において、各記録層を迅速且つ簡便に判別することを可能ならしめる情報記録媒体、情報再生装置及び方法を提供することを課題とする。
【課題を解決するための手段】
【０００９】
（情報記録媒体）
以下、本発明の情報記録媒体について説明する。【００１０】
本発明の情報記録媒体は上記課題を解決するために、第１周波数で揺動されると共に記録情報を記録可能であるグルーブトラックが、予め夫々形成された複数の記録層を備え、前記グルーブトラックは、同期情報及びアドレス情報を検出可能な第１領域（例えば、前側３ウォブル）と、前記記録層を判別するための層判別情報を検出可能な第２領域（例えば、後側５ウォブル）とを備えている。【００１１】
本発明の情報記録媒体によれば、例えば、グルーブトラックのシンクフレームの第１領域において、同期信号を含んだ同期情報とアドレス情報とがランドプリピットによって記録されている。また、第１領域に連続される第２領域において、層判別情報が記録されている。ここに、本願発明に係る「層判別情報」とは、各記録層を判別可能な各記録層に固有な識別情報である。層判別情報の一具体例は、各記録層に固有なグルーブトラックの形状を挙げることができる。より具体的には、第２領域において、基準周波数となる第１周波数とは異なった周波数で揺動される他のウォブルに特定の位置で代替される。よって、この他のウォブルに代替される位置を変えることで、各記録層毎にグルーブトラックの形状を変えることが可能となる。従って、後述される情報再生装置によって、層判別情報、即ち、各記録層に固有なグルーブトラックの形状が検出可能である。ここに、本願発明に係る「検出」とは、復号器（デコーダ：Decoder）によって、符号化された情報を復号化するのとは異なり、ウォブルからのプッシュプル信号に基づいて情報を識別することである。より具体的には、情報再生装置によって、前述した他のウォブルに代替された位置がプッシュプル信号に基づいて、検出されることによって、各記録層に固有なグルーブトラックの形状が判別され、各記録層を迅速且つ簡便に判別することが可能となる。【００１２】
仮に、例えば、ランドプリピットに層判別情報を記録させた場合、このランドプリピットからの信号をデコード（復号化）する必要があるので、高速な信号処理を実現しようとすれば、信号処理回路の処理負担の増加や、追加される信号処理回路のコストの増加をもたらしてしまう。【００１３】
これに対して、本発明によれば、この他のウォブルに代替される位置を変えることで、各記録層毎にグルーブトラックの形状を変えることが可能となる。即ち、第２領域におけるグルーブトラックの形状を層判別情報と１対１に対応させることにより、後述される情報再生装置によって、層判別情報がデコード（復号化）されることなく、他のウォブルに代替された位置が検出されることによって識別され、各記録層に固有なグルーブトラックの形状が判別され、各記録層を迅速且つ簡便に判別することが可能となる。【００１４】
本発明の情報記録媒体の一態様では、前記グルーブトラックは、前記第２領域において、前記第１周波数とは異なる第２周波数で揺動される第１ウォブルを含む。【００１５】
この態様によれば、グルーブトラックの第２領域において、基準周波数たる第１周波数とは異なった第２周波数で揺動される第１ウォブルに特定の位置で代替される。よって、後述される情報再生装置によって、層判別情報がデコードされることなく、この第１ウォブルに代替された位置がより簡便に検出されることによって識別され、各記録層に固有なグルーブトラックの形状がより簡便に判別され、各記録層をより迅速且つ簡便に判別することが可能となる。【００１６】
本発明の情報記録媒体の他の態様では、前記グルーブトラックは、前記第２領域において、前記第１領域に形成されたランドプリピットと当該情報記録媒体の半径方向に同一の第１ランドプリピットを含む。【００１７】
この態様によれば、グルーブトラックの第２領域において、基準周波数たる第１周波数で揺動される特定のウォブルの頂点に第１ランドプリピットが形成されている。尚、この第１ランドプリピットは、第１領域に形成されたランドプリピットと当該情報記録媒体の半径方向に同一の方向に形成されている。よって、後述される情報再生装置によって、層判別情報がデコードされることなく、この特定のウォブルの頂点に形成された第１ランドプリピットが簡便に検出されることによって識別され、各記録層に固有なグルーブトラックの形状がより簡便に判別され、各記録層をより迅速且つ簡便に判別することが可能となる。【００１８】
本発明の情報記録媒体の他の態様では、前記グルーブトラックは、前記第２領域において、前記第１領域に形成されたランドプリピットに対して当該情報記録媒体の半径方向に反対となる第２ランドプリピットを含む。【００１９】
この態様によれば、グルーブトラックの第２領域において、第１領域に形成されたランドプリピットに対して当該情報記録媒体の半径方向に反対となる第２ランドプリピットが形成されている。より具体的には、グルーブトラックの第２領域において、基準周波数たる第１周波数で揺動される特定のウォブルの下方頂点に第２ランドプリピットが形成されている。よって、後述される情報再生装置によって、層判別情報がデコードされることなく、この特定のウォブルの下方頂点に形成された第２ランドプリピットが簡便に検出されることによって識別され、各記録層に固有なグルーブトラックの形状がより簡便に判別され、各記録層をより迅速且つ簡便に判別することが可能となる。【００２０】
本発明の情報記録媒体の他の態様では、前記グルーブトラックは、前記第２領域において、他の情報による信号が重畳された第２ウォブルを含む。【００２１】
この態様によれば、グルーブトラックの第２領域において、第２ウォブルが形成されている。ここに、本発明に係る「第２ウォブル」とは、他の情報による信号が重畳されたウォブルである。よって、後述される情報再生装置によって、層判別情報がデコードされることなく、この第２ウォブルが簡便に検出されることによって識別され、各記録層に固有なグルーブトラックの形状がより簡便に判別され、各記録層をより迅速且つ簡便に判別することが可能となる。【００２２】
本発明の情報記録媒体の他の態様では、前記グルーブトラックは、前記第２領域において、他のウォブルとは位相の異なる第３ウォブルを含む。【００２３】
この態様によれば、グルーブトラックの第２領域において、第３ウォブルが形成されている。ここに、本発明に係る「第３ウォブル」とは、ＢＰ変調（Bi Phase Modulation）が施されたウォブルである。後述される情報再生装置によって、層判別情報がデコードされることなく、この第３ウォブルが簡便に検出されることによって識別され、各記録層に固有なグルーブトラックの形状がより簡便に判別され、各記録層をより迅速且つ簡便に判別することが可能となる。【００２４】
本発明の情報記録媒体の他の態様では、前記グルーブトラックは、前記第２領域において、他のウォブルとは振幅の異なる第４ウォブルを含む。【００２５】
この態様によれば、グルーブトラックの第２領域において、第４ウォブルが形成されている。ここに、本発明に係る「第４ウォブル」とは、ＡＭ（Amplitude Modulation）が施されたウォブルである。後述される情報再生装置によって、層判別情報がデコードされることなく、この第４ウォブルが簡便に検出されることによって識別され、各記録層に固有なグルーブトラックの形状がより簡便に判別され、各記録層をより迅速且つ簡便に判別することが可能となる。【００２６】
本発明の情報記録媒体の他の態様では、前記層判別情報は、前記第２領域に記録されている他に、前記第１領域において、前記同期情報及び前記アドレス情報に加えて記録されている。【００２７】
この態様によれば、第１及び第２領域に記録された層判別情報を検出し、お互いを照合することによって、検出された層判別情報の正確性をより向上させることが可能となる。また、従来の情報再生装置における検出回路との互換性を維持させることも可能となる。【００２８】
（情報再生装置）
本発明の情報再生装置は上記課題を解決するために、上述した本発明の情報記録媒体（但し、その各種態様を含む）を再生する情報再生装置であって、前記グルーブトラックにレーザ光を照射し、その反射光を受光する光ピックアップ手段と、前記光ピックアップ手段の出力に基づいて、前記情報記録媒体に記録された前記同期情報及び前記アドレス情報を検出するアドレス検出手段と、前記光ピックアップ手段の出力に基づいて、前記情報記録媒体に記録された前記層判別情報を検出する記録層検出手段とを備える。【００２９】
本発明の情報再生装置によれば、先ず、情報記録媒体が装填されると、光ピックアップ手段によりシーク動作が行われ、デコーダで再生されるデータが取得される。これにより、情報記録媒体の各種処理に必要な各種管理用データが取得される。この管理用データに基づいて、例えばホスト装置又はバックエンド等からの指示に応じて、情報記録媒体へのアクセスが行われる。【００３０】
続いて、又はホスト装置等から書き込みのコマンドが入力されると、光ピックアップ手段から射出されるレーザ光が所望の記録層へフォーカスインされると共に、この記録層のグルーブトラックに照射される。【００３１】
次に、アドレス検出手段は、光ピックアップ手段内に設けられた反射光ビームを受光する検出器からの受光量に応じた出力信号に基づいて、例えば、ウォブルからの信号を示すプッシュプル信号を検出すると共に、検出されたプッシュプル信号から、ランドプリピットにより示されたアドレス情報を検出する。加えて、アドレス検出手段は、プッシュプル信号の周期に基づいて、同期信号を生成して出力する。【００３２】
記録層検出手段は、この同期信号に基づいて、各記録層のグルーブトラックに備えられた第２領域から層判別情報を検出する。より具体的には、記録層検出手段によって、層判別情報がデコードされることなく、第１周波数とは異なった周波数で揺動される他のウォブルに代替された位置が検出されることによって識別され、各記録層に固有なグルーブトラックの形状が判別され、各記録層を迅速且つ簡便に判別することが可能となる。【００３３】
尚、本発明の情報再生装置においても、上述した情報記録媒体についての各種態様と同様の態様を適宜採用することが可能である。【００３４】
（情報再生方法）
本発明の情報再生方法は上記課題を解決するために、上述した本発明の情報記録媒体（但し、その各種態様を含む）を再生する情報再生方法であって、前記グルーブトラックにレーザ光を照射し、その反射光を受光する読取工程と、前記読取工程の出力に基づいて、前記情報記録媒体に記録された前記同期情報及び前記アドレス情報を検出するアドレス検出工程と、前記読取工程の出力に基づいて、前記情報記録媒体に記録された前記層判別情報を検出する記録層検出工程とを備える。【００３５】
本発明の情報再生方法によれば、上述した本発明の情報再生装置の場合と同様に、記録層検出工程の制御下で、層判別情報がデコードされることなく、例えば、第１周波数とは異なった周波数で揺動される他のウォブルに代替された位置が検出されることによって識別され、各記録層に固有なグルーブトラックの形状が判別され、各記録層を迅速且つ簡便に判別することが可能となる。【００３６】
尚、本発明の情報再生方法においても、上述した情報再生装置についての各種態様と同様の態様を適宜採用することが可能である。【００３７】
本発明のこのような作用及び他の利得は次に説明する実施例から明らかにされる。【００３８】
以上説明したように、本発明の情報記録媒体によれば、少なくとも一つの記録層、第１及び第２領域を備えたグルーブトラックを備えているので、後述される情報再生装置によって、層判別情報がデコードされることなく、各記録層に固有なグルーブトラックの形状が判別され、各記録層を迅速且つ簡便に判別することが可能となる。本発明の情報再生装置及び方法によれば、光ピックアップ手段及び読取工程、アドレス検出手段及び工程、並びに、記録層検出手段及び工程を備えているので、層判別情報がデコードされることなく検出され、各記録層に固有なグルーブトラックの形状が判別され、各記録層を迅速且つ簡便に判別することが可能となる。
【図面の簡単な説明】
【００３９】
【図１】本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。
【図２】本実施例に係る光ディスクの記録面における部分拡大斜視図である。
【図３】本発明の情報記録媒体の実施例に係る光ディスクにおいてグルーブトラックのウォブリングから得られる記録及び再生時に必要なクロック情報及びアドレス情報を示した図式的な概念図である。
【図４】本発明の情報記録媒体の第１実施例に係る光ディスクのＬ０層に形成されるウォブルと光ディスクの物理フォーマットたる１シンクフレーム（同期フレーム）、１セクタ及び１ＥＣＣ（Error Correction Code）ブロックとの関係を図式的に示す概念図である。
【図５】本発明の情報記録媒体の第１実施例に係る光ディスクのＬ０層からＬ３層に形成されるウォブルと光ディスクの物理フォーマットたるシンクフレームを図式的に示す概念図である。
【図６】本発明の情報記録媒体の第１実施例に係る光ディスクの層判別情報の一具体例を示したテーブルである。
【図７】本発明の情報再生装置の実施例に係る情報記録再生装置の全体構成を示すブロック図である。
【図８】本発明の情報再生装置の実施例に係る信号処理回路の構成を示したブロック図である。
【図９】本発明の情報再生装置の実施例に係る信号処理回路によって記録層が判別される動作を示したタイミングチャート図である。
【図１０】本発明の情報記録媒体の第２実施例に係る光ディスクのＬ０層からＬ３層に形成されるウォブルと光ディスクの物理フォーマットたるシンクフレームを図式的に示す概念図である。
【図１１】本発明の情報記録媒体の第３実施例に係る光ディスクのＬ０層からＬ３層に形成されるウォブルと光ディスクの物理フォーマットたるシンクフレームを図式的に示す概念図である。
【図１２】本発明の情報記録媒体の第４実施例に係る光ディスクのＬ０層からＬ３層に形成されるウォブルと光ディスクの物理フォーマットたるシンクフレームを図式的に示す概念図である。
【符号の説明】
【００４０】
１…センターホール、１０…トラック、１１…セクタ、１００…光ディスク、１０１…リードインエリア、１０２…データエリア、１０３…リードアウトエリア、１０６…透明基板、１０７…記録層、１０８…反射層、１０９（１０９ａ、）…ウォブル、１１１…前領域、１１２…後領域、１１３…層判別情報、１５０…ＯＰＣエリア、２００…情報記録再生装置、２０１…対物レンズ、２０２…光ピックアップ、２０３…スピンドルモータ、２０４…ヘッドアンプ、２１０…総和生成回路、２１１…ピットデータ復調回路、２１２…ピットデータ訂正回路、２１３…バッファ、２１４…インターフェース、２２０…プッシュプル信号生成回路、２２１…ローパスフィルタ、２２２…サーボユニット、２２７…ＲＡＮＤテーブル、２２８…スペクトラム拡散復調回路、２３０…スペクトラム拡散データ再生回路、３００…信号処理回路、３０１…アナログ比較器、３０１ａ…オートスライサ、３０２…カウンタ回路、３０３…ラッチ回路、３０４…デジタル比較器、ＳＳ…スペクトラム拡散データ、ＣＫ…クロック信号、ＣＫ１…第１クロック信号、ＣＫ２…第２クロック信号、ＧＴ…グルーブトラック、ＬＴ…ランドトラック、ＬＢ…レーザ光、ＬＰ…ランドプリピット、ＲＳＴ…リセット信号、Ｓｙｎｃ…同期信号
【発明を実施するための最良の形態】
【００４１】
以下、本発明を実施するための最良の形態について実施例毎に順に図面に基づいて説明する。【００４２】
（情報記録媒体の第１実施例）
次に、図1から図６を参照して、本発明の情報記録媒体の第１実施例に係る光ディスクについて図面に基づいて詳細に説明する。尚、説明の便宜上、図１及び図２では、本発明の情報記録媒体の実施例に係る２層型光ディスクにおいて、レーザ光は、上側から下側へ向けて、照射されている。よって、Ｌ０層（第１記録層）は、上側に位置している。他方、図５、図１０、図１１、及び図１２では、本発明の情報記録媒体の実施例に係る多層型（4層型）光ディスクにおいて、レーザ光は、下側から上側へ向けて照射されている。よって、Ｌ０層（第１記録層）は、下側に位置している。【００４３】
先ず、図１を参照して、本発明の情報記録媒体の第１実施例に係る光ディスクの基本構造について説明する。ここに、図１（ａ）は、本発明の情報記録媒体の第１実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００４４】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。特に、例えば、リードインエリア１０１には、ＯＰＣ処理を行うＯＰＣエリアＰＣＡ０又はＰＣＡ１が設けられている。そして、光ディスク１００の例えば、透明基板１０６に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００４５】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。【００４６】
特に、本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤーシングルサイドに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００４７】
尚、２層型光ディスクにおける記録再生手順は、例えば二つの記録層の間でトラックパスの方向が逆向きであるオポジット方式でもよいし、例えば二つの記録層の間でトラックパスの方向が同一であるパラレル方式でもよい。【００４８】
次に図２を参照して、本発明の情報記録媒体の第１実施例に係る光ディスクの物理的構成の概略について説明する。より具体的には、第１実施例に係る光ディスク１００では、複数のデータゾーン１０２等が例えば積層構造に形成される２層型の光ディスクとして構成されている。ここに、図２は、本発明の情報記録媒体の第１実施例に係る光ディスクの記録面における部分拡大斜視図である。【００４９】
図２に示されるように、第１実施例では、光ディスク１００は、ディスク状の透明基板１０６に面して下側に、情報記録面を構成する相変化型又は加熱などによる非可逆変化記録型の第１記録層（Ｌ０層）１０７が積層され、更にその下側に、半透過反射膜１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への相変化による書き込み又は加熱などによる非可逆変化記録が実施される。他方、再生時には、記録レーザパワーよりも弱い再生レーザパワーでレーザ光ＬＢが照射されることで、第1記録層１０７へ書き込みされた記録データの読出しが実施される。【００５０】
第１実施例では、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはプリフォーマットアドレス情報を示すランドプリピットＬＰと呼ばれるアドレスピットが形成されている。この２つのアドレッシング（即ち、ウォブル１０９及びランドプリピットＬＰ）により記録中のディスク回転制御や記録クロックの生成、また記録アドレス等のデータ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。【００５１】
第１実施例では特に、半透過反射膜１０８に面して下側に、第２記録層（Ｌ１層）２０７が形成され、更にその下側に、反射膜２０８が形成されている。第２記録層２０７は、透明基板１０６、第１記録層１０７及び半透過反射膜１０８を介してレーザ光ＬＢが照射されることで、第１記録層１０７と概ね同様に、相変化型又は加熱などによる非可逆変化記録型の記録及び再生が可能なように構成されている。このような第２記録層２０７及び反射膜２０８については、第１記録層１０７及び半透過反射膜１０８等が形成された透明基板１０６上に積層、即ち、成膜形成してもよいし、別基板上に積層、即ち、成膜形成した後に、これを透明基板１０６に貼り合わせるようにしてもよい。尚、半透過反射膜１０８と第２記録層２０７との間には、製造方法に応じて適宜、透明接着剤等からなる透明な中間層２０５が設けられる。【００５２】
このような二層型の光ディスク１００の記録再生時には、レーザ光ＬＢの集光位置、即ち、フォーカスをいずれの記録層に合わせるかに応じて、第１記録層１０７における記録再生が行なわれるか又は第２記録層２０７における記録再生が行われる。【００５３】
次に、図３を参照して、本発明の情報記録媒体の実施例に係る光ディスクの基本原理であるグルーブトラックの揺動（ウォブリング：Wobbling）から得られる記録及び再生時に必要なクロック情報及びアドレス情報について説明する。ここに、図３は、本発明の情報記録媒体の実施例に係る光ディスクにおいてグルーブトラックのウォブリングから得られる記録及び再生時に必要なクロック情報及びアドレス情報を示した図式的な概念図である。【００５４】
図３（ａ）、（ｂ）及び（ｃ）に示すように、本実施例に係る光ディスクにおいては、グルーブトラックＧＴは、一定の振幅及び空間周波数で揺動されている。即ち、グルーブトラックＧＴは、ウォブリングされており、そのウォブル（Wobble）１０９の周期は所定値に設定されている。尚、グルーブトラックＧＴのウォブル１０９を周波数変調や位相変調など所定の変調方式により変調することによりプリフォーマットアドレス情報を予め記録するようにしてもよい。【００５５】
図３（ｂ）に示すように、ＣＤ−Ｒ／Ｗの場合では、微妙な周波数の変化によって、光ディスク上のアドレス情報がＡＴＩＰ（Absolute Time In Pre-groove）信号と呼ばれる絶対時間情報として組み込まれている。【００５６】
図３（ｃ）に示すように、ＤＶＤ−Ｒ／ＲＷの場合では、ランドトラックＬＴ上には本発明に係る「アドレス情報」の一具体例であるプリフォーマットアドレス情報を示すランドプリピットＬＰと呼ばれるアドレスピットが形成されている。【００５７】
以上説明した２種類のアドレッシング、即ち、ウォブル１０９並びにＡＴＩＰ又はランドプリピットＬＰにより記録中のディスク回転制御や、本発明に係る「同期情報」の一具体例であるクロック情報の生成、及び記録アドレス等のデータを記録する際に必要な情報を得ることができる。【００５８】
次に、図４から図６を参照して、本発明の情報記録媒体の第１実施例に係る光ディスクについてより詳細に説明する。ここに、図４は、本発明の情報記録媒体の第１実施例に係る光ディスクのＬ０層に形成されるウォブルと光ディスクの物理フォーマットたる１シンクフレーム（同期フレーム）、１セクタ及び１ＥＣＣ（Error Correction Code）ブロックとの関係を図式的に示す概念図である。図５は、本発明の情報記録媒体の第１実施例に係る光ディスクのＬ０層からＬ３層に形成されるウォブルと光ディスクの物理フォーマットたるシンクフレームを図式的に示す概念図である。図６は、本発明の情報記録媒体の第１実施例に係る光ディスクの層判別情報の一具体例を示したテーブルである。【００５９】
図４に示されるように、本発明の情報記録媒体の第１実施例に係る光ディスクのＬ０層においては、１シンクフレーム中に８つのウォブル１０９が形成されている。このシンクフレームが２６個集まることで、２ＫＢのデータサイズを有するセクタが構成され、更にこのセクタが１６個集まることで、３２ＫＢのデータサイズを有する１ＥＣＣブロックが構成される。【００６０】
ランドプリピットＬＰが、１つのシンクフレーム毎に、即ち、概ね８ウォブル毎に、ウォブル１０９の最初の３頂点に形成されている。ランドプリピットＬＰには、前述のように、アドレス情報、及び、データの記録及び再生の同期を取るためのクロック情報（或いは、タイミング信号）が含まれているように構成されている。より具体的には、この３つのランドプリピットＬＰのうち、少なくとも一つには、同期を取るためのクロック情報が記録されている。他のランドプリピットＬＰには、アドレス情報やデータの記録を制御する情報等が記録されている。【００６１】
図５に示されるように、第１実施例に係る光ディスクのＬ０層では、前述したように一つのシンクフレーム中に８つのウォブルが形成されている。即ち、一つのシンクフレーム中において８回揺動するような基準周波数でウォブル１０９が形成されている。ここに、「基準周波数」とは、揺動しているウォブル１０９の基準となる周波数を示す趣旨である。尚、Ｌ０層は、従来のＤＶＤのグルーブトラックＧＴと同じ形状である。即ち、Ｌ０層においては、グルーブトラックＧＴは、基準周波数と同じ周波数で揺動している。【００６２】
また、１つのシンクフレームは、前側に位置される３つのウォブルが形成されている前領域１１１、及び、後側に位置される５つのウォブルが形成されている後領域１１２から構成されている。前領域１１１の３つのウォブルの頂点には、前述したように、３つのランドプリピットＬＰが形成されている。尚、本発明に係る「第１領域」の一例が前領域１１１から構成されている。また、本発明に係る「第２領域」の一例が後領域１１２から構成されている。【００６３】
特に、第１実施例に係る光ディスクのＬ１層では、上述したように一つのシンクフレーム中の８つのウォブル１０９のうちの先頭から５番目、言い換えると、後領域１１２における２番目のウォブル１０９ａの揺動する周波数が、周波数変調（Frequency Modulation）されている。より具体的には、ウォブル１０９ａの揺動する周波数が、基準周波数と比較して、例えば２倍となるように形成されている。尚、この周波数が基準周波数の２倍のウォブル１０９ａによって、本発明に係る「第１ウォブル」の一例が構成されている。逆の観点では、後述される情報再生装置の検出回路によって、ウォブル１０９ａが５番目のウォブルとして検出されることによって、現在、トラッキングが行われている記録層は、Ｌ１層であると判別することが可能となる（図６の層判別情報１１３を示したテーブルを参照）。【００６４】
同様にして、第１実施例に係る光ディスクのＬ２層では、一つのシンクフレーム中の８つのウォブルのうちの６番目のウォブルが、ウォブル１０９ａとなって形成されている。逆の観点では、情報再生装置の検出回路によって、このウォブル１０９ａが６番目のウォブルとして検出されることによって、現在、トラッキングが行われている記録層は、Ｌ２層であると判別することが可能となる（図６の層判別情報１１３を示したテーブルを参照）。また、第１実施例に係る光ディスクのＬ３層では、一つのシンクフレーム中の８つのウォブルのうちの７番目のウォブルが、ウォブル１０９ａとなって形成されている。逆の観点では、情報再生装置の検出回路によって、このウォブル１０９ａが７番目のウォブルとして検出されることによって、現在、トラッキングが行われている記録層は、Ｌ３層であると判別することが可能となる（図６の層判別情報１１３を示したテーブルを参照）。また、図５では示されないが、第１実施例に係る光ディスクのＬ４層では、一つのシンクフレーム中の８つのウォブルのうちの８番目のウォブルが、ウォブル１０９ａとなって形成されている。逆の観点では、情報再生装置の検出回路によって、このウォブル１０９ａが８番目のウォブルとして検出されることによって、現在、トラッキングが行われている記録層は、Ｌ４層であると判別することが可能となる（図６の層判別情報１１３を示したテーブルを参照）。【００６５】
以上より、本発明の情報記録媒体の第１実施例に係る光ディスクにおいては、周波数変調された周波数で揺動されるウォブル１０９ａが代替される特定の位置が検出されることで各記録層を判別することが可能となる。より具体的には、グルーブトラックのシンクフレームの前領域１１１において、同期信号を含んだ同期情報とアドレス情報とがランドプリピットＬＰによって記録されている。また、後領域１１２において、周波数変調された周波数で揺動されるウォブル１０９ａに特定の位置で代替される。よって、ウォブル１０９ａに代替される位置を変えることで、各記録層毎にグルーブトラックの形状を変えることが可能となる。従って、後述される情報再生装置によって、ウォブル１０９ａに代替された位置が検出されることによって、各記録層に固有なグルーブトラックの形状が判別され、各記録層を迅速且つ簡便に判別することが可能となる。【００６６】
仮に、例えば、ランドプリピットＬＰに層判別情報を記録させた場合、このランドプリピットＬＰからの信号をデコードする必要があるので、高速な信号処理を実現しようとすれば、信号処理回路の処理負担の増加や、追加される信号処理回路のコストの増加をもたらしてしまう。【００６７】
これに対して、第１実施例に係る光ディスクによれば、ウォブル１０９ａが代替される位置を変えることで、各記録層毎にグルーブトラックＧＴの形状を変えることが可能となる。即ち、後領域１１２におけるグルーブトラックＧＴの形状を層判別情報１１３と１対１に対応させることにより、後述される情報再生装置によって、層判別情報がデコードされることなく、ウォブル１０９ａに代替された位置が検出されることによって、各記録層に固有なグルーブトラックの形状が判別され、各記録層を迅速且つ簡便に判別することが可能となる。尚、この層判別情報１１３の検出回路及び検出原理については、後述の図８及び図９によって詳細に説明される。【００６８】
（情報記録再生装置の全体説明）
次に、本発明の情報再生装置の実施例に係る情報記録再生装置について説明する。ここに、図７は、本発明の情報再生装置の実施例に係る情報記録再生装置の全体構成を示すブロック図である。光ディスク１００には、第１クロック信号ＣＫ１に同期したピットデータＤＰが記録マークの長短によって記録されている。この例の記録マークはピットであり、トラックはピット列によって構成される。トラックはウォブルデータＤＷをスペクトラム拡散変調して得たウォブル信号ＷＢに応じて蛇行した形状になっている。ウォブル信号ＷＢは第２クロック信号ＣＫ２に同期している。第１クロック信号ＣＫ１は第２クロック信号ＣＫ２のＮ（Ｎは自然数）倍の周波数を有する。この例では、Ｎ＝２５であり、第２クロック信号ＣＫ２は４２０ＫＨｚ、第１クロック信号ＣＫ１は１０．５ＭＨｚである。【００６９】
情報記録再生装置２００は、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【００７０】
光ピックアップ２０２は、再生ビームを照射するレーザーダイオード、４分割検出回路を備える（図示略）。４分割検出回路は、再生ビームの反射光を図７に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。なお、光ピックアップ２０２及びヘッドアンプ２０４は本願発明に係る光ピックアップ手段に相当する。【００７１】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【００７２】
ピットデータ復調回路２１１は、総和読取信号ＳＲＦに基づいてピットデータＤＰを再生すると共に第１クロック信号ＣＫ１を生成する。より具体的には、ピットデータＤＰは、所定のテーブルを用いて復調されて再生データが生成される。例えば、変調方式としてＥＦＭ変調が採用される場合には、１４ビットのピットデータＤＰを８ビットの再生データに変換する処理が施される。更に、この再生データの順序を予め定められた規則に従って並べ換えるデスクランブル処理が実行され、処理済の再生データが出力される。【００７３】
このようにして得られた再生データは、図７に示すピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。【００７４】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。即ち、再生ビームがピットに対して左側に偏っていれば、プッシュプル信号は振幅中心を基準として正極性となり、再生ビームがピットの中央に位置する場合はプッシュプル信号の値は振幅中心となり、再生ビームがピットに対して右側に偏っていれば、プッシュプル信号は振幅中心を基準として負極性となる。再生ビームとピットの相対的な位置は、トラックの蛇行に応じて変化し、プッシュプル信号の値は再生ビームとピットの相対的な位置関係を表している。即ち、プッシュプル信号は、トラックの蛇行に応じた信号である。【００７５】
プッシュプル信号はローパスフィルタ２２１を介してサーボユニット２２２へ出力される。サーボユニット２２２は、プッシュプル信号に基づいてトラッキング制御を実行する。また、プッシュプル信号はバンドパスフィルタ２２３に供給される。バンドパスフィルタ２２３の通過帯域は、記録時においてウォブルデータＤＷをスペクトラム拡散変調して得たウォブル信号ＷＢをプッシュプル信号から抽出できるように設定されている。従って、バンドパスフィルタ２２３はプッシュプル信号生成回路２２０と共に上述したアドレス検出手段を構成し、その出力信号は、光ディスク１００からウォブル信号ＷＢを再生したものとなる。ウォブル信号ＷＢは、信号処理回路３００に供給される。特に、信号処理回路３００については、次に詳細に説明する。【００７６】
（情報記録再生装置における信号処理回路の詳細説明）
次に、図８及び図９を参照して、本発明の情報再生装置の実施例に係る情報記録再生装置における信号処理回路の構成、及び、層判別情報の検出動作、即ち、記録層が判別される動作について詳細に説明する。ここに、図８は、本発明の情報再生装置の実施例に係る信号処理回路の構成を示したブロック図である。図９は、本発明の情報再生装置の実施例に係る信号処理回路によって記録層が判別される動作を示したタイミングチャート図である。【００７７】
図８に示されるように、信号処理回路３００は、アナログ比較器３０１、カウンタ回路３０２、ラッチ回路３０３、及び、デジタル比較器３０４を備えて構成されている。【００７８】
先ず、アナログ比較器３０１には、図９（ａ）に示されたプッシュプル信号が供給されている。そして、アナログ比較器３０１は、供給されたプッシュプル信号を図９（ｂ）に示されたＦＭ（Frequency Modulation）パルス信号として出力する。詳細には、ＦＭパルス信号は、２値化されており、ＦＭ変調信号のレベルをスライスレベルより大きければＨｉｇｈ、小さければＬｏｗとなるように変換されている。より詳細には、アナログ比較器３０１は、オートスライサ３０１ａを備えて構成されている。このオートスライサ３０１ａは、スライスレベルを決定すると共に、変換したＦＭパルス信号の立ち上がりエッジと立ち下がりエッジとの検出を行う。以下、この検出されたエッジを「両エッジ信号」と称す。この両エッジ信号はカウンタ回路３０２、ラッチ回路３０３、及び、デジタル比較器３０４に供給される。【００７９】
カウンタ回路３０２には、クロック信号ＣＫと、両エッジ信号に基づいたリセット信号ＲＳＴとが供給されている。カウンタ回路３０２は、図９（ｃ）に示されるように、クロック信号ＣＫをカウント（積分）してカウント値をラッチ回路３０３へ出力する。詳細には、カウンタ回路３０２は、リセット信号ＲＳＴによりリセットされ、立ち上りエッジと立ち下がりエッジ間をカウント（積分）する。【００８０】
図９（ｃ）及び（ｄ）に示されるように、カウント値が“Ｎ”（“１”周期）までカウントされたとき、リセット信号ＲＳＴによりリセットされて、カウント値は“０”となっている。或いは、リセットされた後、カウント値のカウントが再開されて、カウント値が“Ｎ／２”までカウントされたときにリセット信号ＲＳＴによりリセットされている。このように、リセット信号ＲＳＴによりリセットされる時のカウント値は、例えば、“Ｎ”、“Ｎ”、“Ｎ”、“Ｎ”、“Ｎ”、“Ｎ／２”、“Ｎ／２”、“Ｎ”、“Ｎ”となる。【００８１】
ラッチ回路３０３には、カウンタ回路３０２からのカウント値と両エッジ信号とが供給されている。ラッチ回路３０３は、両エッジ信号のタイミングに基づいて、カウント値を保持する。図９（ｄ）に示されるように、ラッチ回路３０３は、前述したカウント値を夫々リセットされるタイミングで保持する。保持されたカウント値はデジタル比較器３０４へ出力される。【００８２】
デジタル比較器３０４は、ラッチ回路３０３からのカウント値と、カウント閾値“３／４Ｎ”とが供給されている。デジタル比較器３０４は、ラッチ回路３０３から供給されたカウント値と、供給されたカウント閾値に基づいて比較処理を行い、ＦＭ変調信号の高域周波数成分“Ｎ／２”を除去し、“０”を出力する。このように、比較処理が行われたＦＭ変調信号は、ＣＰＵ４００へ出力される。【００８３】
ＣＰＵ４００は、前述したランドプリピットＬＰ等の同期信号Ｓｙｎｃから所定のカウント後のＦＭ変調信号の出力値を検出する。詳細には、ＣＰＵ４００は、前述した図６に示された層判別情報１１３のテーブルに基づいて、５、６、７及び８ウォブル目のＦＭ変調信号の出力値を測定することで、デジタル比較器３０４の出力値が、同期（シンク）から何ウォブル目に出力されなくなったか、即ち、“０”を検出することによりどの記録層であるかを判別することができる。尚、“０”を検出することができなければ、Ｌ０層であることを判別することができる。具体的には、図９（ｅ）に示されるように、ウォブルの５波目において、ＦＭ変調信号の出力値として“０”が検出されるので、現在、トラッキングを行っているのは、Ｌ１層であると判別することができる。【００８４】
（情報記録再生装置の全体説明−続き−）
次に、再び、図７に戻って、情報記録再生装置の全体説明を続ける。【００８５】
スペクトラム拡散データ再生回路２３０は、データＢに基づいて、スペクトラム拡散データＳＳを再生する。スペクトラム拡散データ再生回路２３０の詳細は、ディスク原盤ＤＳを作成する際にどのような変調方式を用いたかにより異なる。【００８６】
ＲＡＮＤテーブル２２７には、記録時のスペクトラム拡散変調に用いたランダム化パターンが記憶されている。ランダム化パターンは拡散符号に相当し、ランダム関数を用いて生成されるビット列である。ＲＡＮＤテーブル２２７には第２クロック信号ＣＫ２が供給され、第２クロック信号ＣＫ２に同期してランダム化パターンが読み出されることによりランダムデータＲＮＤが生成され、生成されたランダムデータＲＮＤはスペクトラム拡散復調回路２２８に供給される。また、スペクトラム拡散データ再生回路２３０から出力されるスペクトラム拡散データＳＳはスペクトラム拡散復調回路２２８に供給される。【００８７】
スペクトラム拡散復調回路２２８は、乗算回路（例えば、イクスシブルオア回路ＸＯＲ）で構成され、スペクトラム拡散データＳＳとランダムデータＲＮＤを掛け算して、ウォブルデータＤＷを再生する。この際、元々の信号帯域でない信号は、掛け算によって帯域外の信号に変換される。こうして再生されたウォブルデータＤＷは、エラー訂正回路２２９においてエラー訂正が施された後、出力される。【００８８】
（情報記録媒体の第２実施例）
次に図１０を参照して、本発明の情報記録媒体の第２実施例に係る光ディスクについてより詳細に説明する。ここに、図１０は、本発明の情報記録媒体の第２実施例に係る光ディスクのＬ０層からＬ３層に形成されるウォブルと光ディスクの物理フォーマットたるシンクフレームを図式的に示す概念図である。【００８９】
第２実施例に係る光ディスクにおける基本構造及び物理フォーマットは、図１から図４を参照して説明した第１実施例と概ね同様である。【００９０】
図１０に示されるように、特に、第２実施例に係る光ディスクのＬ１層では、一つのシンクフレーム中の８つのウォブル１０９のうちの４番目のウォブル１０９の頂点に前領域１１１に形成されたランドプリピットＬＰとディスク径方向に同一のランドプリピットＬＰ１が形成されている。尚、この第２領域に形成されたランドプリピットＬＰ１によって、本発明に係る「第１ランドプリピット」の一例が構成されている。逆の観点では、前述した情報再生装置の検出回路によって、ランドプリピットＬＰ１が４番目のウォブル１０９の頂点として検出されることによって、現在、トラッキングが行われている記録層は、Ｌ１層であると判別することが可能となる。【００９１】
同様にして、第２実施例に係る光ディスクのＬ２層では、一つのシンクフレーム中の８つのウォブルのうちの５番目のウォブルの頂点にランドプリピットＬＰ１が形成されている。逆の観点では、情報再生装置の検出回路によって、このランドプリピットＬＰ１が５番目のウォブルの頂点に形成されていると検出されることによって、現在、トラッキングが行われている記録層は、Ｌ２層であると判別することが可能となる。また、第２実施例に係る光ディスクのＬ３層では、一つのシンクフレーム中の８つのウォブルのうちの６番目のウォブルの頂点にランドプリピットＬＰ１が形成されている。逆の観点では、情報再生装置の検出回路によって、このランドプリピットＬＰ１が６番目のウォブルの頂点に形成されていると検出されることによって、現在、トラッキングが行われている記録層は、Ｌ３層であると判別することが可能となる。【００９２】
（情報記録媒体の第３実施例）
次に図１１を参照して、本発明の情報記録媒体の第３実施例に係る光ディスクについてより詳細に説明する。ここに、図１１は、本発明の情報記録媒体の第３実施例に係る光ディスクのＬ０層からＬ３層に形成されるウォブルと光ディスクの物理フォーマットたるシンクフレームを図式的に示す概念図である。【００９３】
第３実施例に係る光ディスクにおける基本構造及び物理フォーマットは、図１から図４を参照して説明した第１実施例と概ね同様である。【００９４】
図１１に示されるように、特に、第３実施例に係る光ディスクのＬ１層では、一つのシンクフレーム中の８つのウォブル１０９のうちの４番目のウォブル１０９の下方頂点に、前領域１１１に形成されたランドプリピットＬＰとディスク径方向に反対のランドプリピットＬＰ２が形成されている。尚、この第２領域に形成されたランドプリピットＬＰ２によって、本発明に係る「第２ランドプリピット」の一例が構成されている。逆の観点では、前述した情報再生装置の検出回路によって、ランドプリピットＬＰ２が４番目のウォブル１０９の下方頂点に検出されることによって、現在、トラッキングが行われている記録層は、Ｌ１層であると判別することが可能となる。【００９５】
同様にして、第３実施例に係る光ディスクのＬ２層では、一つのシンクフレーム中の８つのウォブルのうちの５番目のウォブルの下方頂点にランドプリピットＬＰ２が形成されている。逆の観点では、情報再生装置の検出回路によって、このランドプリピットＬＰ２が５番目のウォブルの下方頂点に形成されていると検出されることによって、現在、トラッキングが行われている記録層は、Ｌ２層であると判別することが可能となる。また、第３実施例に係る光ディスクのＬ３層では、一つのシンクフレーム中の８つのウォブルのうちの６番目のウォブルの下方頂点にランドプリピットＬＰ２が形成されている。逆の観点では、情報再生装置の検出回路によって、このランドプリピットＬＰ２が６番目のウォブルの下方頂点に形成されていると検出されることによって、現在、トラッキングが行われている記録層は、Ｌ３層であると判別することが可能となる。【００９６】
（情報記録媒体の第４実施例）
次に図１２を参照して、本発明の情報記録媒体の第４実施例に係る光ディスクについてより詳細に説明する。ここに、図１２は、本発明の情報記録媒体の第４実施例に係る光ディスクのＬ０層からＬ３層に形成されるウォブルと光ディスクの物理フォーマットたるシンクフレームを図式的に示す概念図である。【００９７】
第４実施例に係る光ディスクにおける基本構造及び物理フォーマットは、図１から図４を参照して説明した第１実施例と概ね同様である。【００９８】
図１２に示されるように、特に、第４実施例に係る光ディスクのＬ１層では、一つのシンクフレーム中の８つのウォブル１０９のうちの４番目のウォブル１０９ｂの頂点に他の情報による信号が重畳されている。尚、この第２領域に形成された他の情報による信号が重畳されたウォブル１０９ｂによって、本発明に係る「第２ウォブル」の一例が構成されている。逆の観点では、前述した情報再生装置の検出回路によって、ウォブル１０９ｂが４番目のウォブルとして検出されることによって、現在、トラッキングが行われている記録層は、Ｌ１層であると判別することが可能となる。【００９９】
同様にして、第４実施例に係る光ディスクのＬ２層では、一つのシンクフレーム中の８つのウォブルのうちの５番目のウォブル１０９ｂの頂点に他の情報による信号が重畳されている。逆の観点では、情報再生装置の検出回路によって、このウォブル１０９ｂが５番目のウォブルとして検出されることによって、現在、トラッキングが行われている記録層は、Ｌ２層であると判別することが可能となる。また、第４実施例に係る光ディスクのＬ３層では、一つのシンクフレーム中の８つのウォブルのうちの６番目のウォブル１０９ｂの頂点に他の情報による信号が重畳されている。逆の観点では、情報再生装置の検出回路によって、このウォブル１０９ｂが６番目のウォブルとして検出されることによって、現在、トラッキングが行われている記録層は、Ｌ３層であると判別することが可能となる。【０１００】
尚、上述した第１乃至第４実施例においては、第２領域にのみ層判別情報を記録しているが、第２領域に加えて、従来と同様にして、第１領域におけるランドプリピットＬＰにも層判別情報を記録させてもよい。即ち、２種類の検出回路によって、層判別情報を検出させるようにしてもよい。このように、２種類の検出回路によって検出された層判別情報を照合することによって、検出された層判別情報の正確性をより向上させることが可能となる。また、従来の情報再生装置の検出回路との互換性を維持させることも可能となる。【０１０１】
本実施例では、情報記録媒体の一具体例として、例えば、ＣＤ−Ｒ／Ｗ又はＤＶＤ−Ｒ／Ｗ等の書き換え型光ディスクについて説明したが、本発明は、例えば、ウォブルを使用する全てのＣＤ、ＤＶＤ、及び、Blu-rayディスクの大容量記録媒体等の光学式情報記録媒体においても使用可能である。【０１０２】
本発明は、上述した実施例に限られるものではなく、請求の範囲及び明細書全体から読み取れる発明の要旨或いは思想に反しない範囲で適宜変更可能であり、そのような変更を伴う情報記録媒体、情報再生装置及び方法もまた本発明の技術的範囲に含まれるものである。
【産業上の利用可能性】
【０１０３】
本発明に係る情報記録媒体、情報再生装置及び方法、例えば、ＤＶＤ等の高密度光ディスクに利用可能であり、更にＤＶＤプレーヤ等に利用可能である。
【図１】
2005109413.tif 000002
【図２】
2005109413.tif 000003
【図３】
2005109413.tif 000004
【図４】
2005109413.tif 000005
【図５】
2005109413.tif 000006
【図６】
2005109413.tif 000007
【図７】
2005109413.tif 000008
【図８】
2005109413.tif 000009
【図９】
2005109413.tif 000010
【図１０】
2005109413.tif 000011
【図１１】
2005109413.tif 000012
【図１２】
2005109413.tif 000013
【手続補正書】
【提出日】平成18年3月8日(2006.3.8)
【手続補正１】
【補正対象書類名】特許請求の範囲
【補正対象項目名】全文
【補正方法】変更
【補正の内容】
【書類名】請求の範囲
【請求項１】第１周波数で揺動されると共に記録情報を記録可能であるグルーブトラックが、予め夫々形成された複数の記録層を備え、
前記グルーブトラックは、同期情報及びアドレス情報を検出可能な第１領域と、前記第１周波数とは異なる第２周波数で揺動される第２領域とを備え、当該グルーブトラックのトラック方向に沿った前記第１領域と、前記第２領域との組み合わせによって、前記複数の記録層を夫々判別可能であることを特徴とする情報記録媒体。
【請求項２】前記グルーブトラックは、前記第２領域において、前記第２周波数で揺動される第１ウォブルを含むことを特徴とする請求の範囲第１項に記載の情報記録媒体。
【請求項３】前記グルーブトラックは、前記第２領域において、前記第１領域に形成されたランドプリピットと当該情報記録媒体の半径方向に同一の第１ランドプリピットを含むことを特徴とする請求の範囲第１項に記載の情報記録媒体。
【請求項４】前記グルーブトラックは、前記第２領域において、前記第１領域に形成されたランドプリピットに対して当該情報記録媒体の半径方向に反対となる第２ランドプリピットを含むことを特徴とする請求の範囲第１項に記載の情報記録媒体。
【請求項５】前記グルーブトラックは、前記第２領域において、他の情報による信号が重畳された第２ウォブルを含むことを特徴とする請求の範囲第１項に記載の情報記録媒体。
【請求項６】前記グルーブトラックは、前記第２領域において、他のウォブルとは位相の異なる第３ウォブルを含むことを特徴とする請求の範囲第１項に記載の情報記録媒体。
【請求項７】前記グルーブトラックは、前記第２領域において、他のウォブルとは振幅の異なる第４ウォブルを含むことを特徴とする請求の範囲第１項に記載の情報記録媒体。
【請求項８】層判別情報は、前記第２領域に記録されている他に、前記第１領域において、
前記同期情報及び前記アドレス情報に加えて記録されていることを特徴とする請求の範囲第１項に記載の情報記録媒体。
【請求項９】請求の範囲第１項に記載の情報記録媒体を再生する情報再生装置であって、
前記グルーブトラックにレーザ光を照射し、その反射光を受光する光ピックアップ手段と、
前記光ピックアップ手段の出力に基づいて、前記情報記録媒体に記録された前記同期情報及び前記アドレス情報を検出するアドレス検出手段と、
前記光ピックアップ手段の出力に基づいて、前記情報記録媒体に記録された層判別情報を検出する記録層検出手段と
を備えたことを特徴とする情報再生装置。
【請求項１０】請求の範囲第１項に記載の情報記録媒体を再生する情報再生方法であって、
前記グルーブトラックにレーザ光を照射し、その反射光を受光する読取工程と、
前記読取工程の出力に基づいて、前記情報記録媒体に記録された前記同期情報及び前記アドレス情報を検出するアドレス検出工程と、
前記読取工程の出力に基づいて、前記情報記録媒体に記録された層判別情報を検出する記録層検出工程と
を備えることを特徴とする情報再生方法。
【請求項１１】前記組み合わせは、前記第１領域と前記第２領域との位置関係の組み合わせであることを特徴とする請求の範囲第１項に記載の情報記録媒体。
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
第１周波数で揺動されると共に記録情報を記録可能であるグルーブトラックが、予め夫々形成された複数の記録層を備え、
前記グルーブトラックは、同期情報及びアドレス情報を検出可能な第１領域と、前記第１周波数とは異なる第２周波数で揺動される第２領域とを備え、当該グルーブトラックのトラック方向に沿った前記第１領域と、前記第２領域との組み合わせによって、前記複数の記録層を夫々判別可能であることを特徴とする情報記録媒体。
【請求項２】
前記組み合わせは、前記第１領域と前記第２領域との位置関係の組み合わせであることを特徴とする請求項１に記載の情報記録媒体。
【請求項３】
前記グルーブトラックは、前記第２領域において、前記第２周波数で揺動される第１ウォブルを含むことを特徴とする請求項１に記載の情報記録媒体。
【請求項４】
前記グルーブトラックは、前記第２領域において、前記第１領域に形成されたランドプリピットと当該情報記録媒体の半径方向に同一の第１ランドプリピットを含むことを特徴とする請求項１に記載の情報記録媒体。
【請求項５】
前記グルーブトラックは、前記第２領域において、前記第１領域に形成されたランドプリピットに対して当該情報記録媒体の半径方向に反対となる第２ランドプリピットを含むことを特徴とする請求項１に記載の情報記録媒体。
【請求項６】
前記グルーブトラックは、前記第２領域において、他の情報による信号が重畳された第２ウォブルを含むことを特徴とする請求項１に記載の情報記録媒体。
【請求項７】
前記グルーブトラックは、前記第２領域において、他のウォブルとは位相の異なる第３ウォブルを含むことを特徴とする請求項１に記載の情報記録媒体。
【請求項８】
前記グルーブトラックは、前記第２領域において、他のウォブルとは振幅の異なる第４ウォブルを含むことを特徴とする請求項１に記載の情報記録媒体。
【請求項９】
層判別情報が、前記第２領域に記録されている他に、前記第１領域において、前記同期情報及び前記アドレス情報に加えて記録されていることを特徴とする請求項１に記載の情報記録媒体。
【請求項１０】
請求項１に記載の情報記録媒体を再生する情報再生装置であって、
前記グルーブトラックにレーザ光を照射し、その反射光を受光する光ピックアップ手段と、
前記光ピックアップ手段の出力に基づいて、前記情報記録媒体に記録された前記同期情報及び前記アドレス情報を検出するアドレス検出手段と、
前記光ピックアップ手段の出力に基づいて、前記情報記録媒体に記録された層判別情報を検出する記録層検出手段と
を備えたことを特徴とする情報再生装置。
【請求項１１】
請求項１に記載の情報記録媒体を再生する情報再生方法であって、
前記グルーブトラックにレーザ光を照射し、その反射光を受光する読取工程と、
前記読取工程の出力に基づいて、前記情報記録媒体に記録された前記同期情報及び前記アドレス情報を検出するアドレス検出工程と、
前記読取工程の出力に基づいて、前記情報記録媒体に記録された層判別情報を検出する記録層検出工程と
を備えることを特徴とする情報再生方法。
【国際調査報告】
2005109413.tif 000014
2005109413.tif 000015
2005109413.tif 000016